(57)【要約】【課題】  ブランチの受信状態が悪化してフレーム保護状態になった場合に受信性能の劣化の防止を図る。【解決手段】  この装置は、ディジタル放送受信機における周波数ダイバシチ受信装置であって、各ブランチによる受信データの合成を行う合成部と、一方のブランチがフレーム保護状態とされた場合に、該フレーム保護状態に基づいて、前記合成部において合成対象とされるべきブランチを決定する制御を行うブランチ制御部と、を具備する。ブランチ制御部は、フレーム保護状態にあるブランチを合成対象から外す決定をする。あるいは、ブランチ制御部は、フレーム保護状態が誤りか否かを判定し、誤ったフレーム保護状態である場合には、当該ブランチを合成対象とする決定をする。【選択図】      図１
2005150935.tif 000002
【特許請求の範囲】
【請求項１】
ディジタル放送受信機における周波数ダイバシチ受信装置であって、
各ブランチによる受信データの合成を行う合成部と、
一方のブランチがフレーム保護状態とされた場合に、該フレーム保護状態に基づいて、前記合成部において合成対象とされるべきブランチを決定する制御を行うブランチ制御部と、
を具備することを特徴とする周波数ダイバシチ受信装置。
【請求項２】
前記ブランチ制御部は、フレーム保護状態にあるブランチを合成対象から外す決定をする、請求項１に記載の周波数ダイバシチ受信装置。
【請求項３】
前記ブランチ制御部は、フレーム保護状態が誤りか否かを判定し、誤ったフレーム保護状態である場合には、当該ブランチを合成対象とする決定をする、請求項１に記載の周波数ダイバシチ受信装置。
【請求項４】
前記ブランチ制御部は、フレーム保護状態が誤りか否かを判定する基準としてＣＮ比、受信レベル又はＰＷＭ電力値を使用する、請求項３に記載の周波数ダイバシチ受信装置。
【請求項５】
前記ブランチ制御部は、フレーム保護状態が誤りか否かを判定する基準としてＣＮ比、受信レベル及びＰＷＭ電力値の内の複数の値を使用する、請求項３に記載の周波数ダイバシチ受信装置。
【請求項６】
前記ブランチ制御部は、ＣＮ比、受信レベル及びＰＷＭ電力値の内の判定に用いられる複数の値の全てがそれぞれに与えられた条件を満足するときに誤ったフレーム保護状態であると判定する、請求項５に記載の周波数ダイバシチ受信装置。
【請求項７】
前記ブランチ制御部は、ＣＮ比、受信レベル又はＰＷＭ電力値の内の判定に用いられる複数の値のいずれか一つがそれに与えられた条件を満足するときに誤ったフレーム保護状態であると判定する、請求項５に記載の周波数ダイバシチ受信装置。
【請求項８】
前記ブランチ制御部は、両方のブランチがフレーム保護状態とされた場合に、該フレーム保護状態に基づいて、前記合成部において合成対象とされるべきブランチを決定する制御をも行う、請求項１に記載の周波数ダイバシチ受信装置。
【請求項９】
前記ブランチ制御部は、両方のブランチがフレーム保護状態とされた場合に、いずれか一方のブランチのみを動作させる決定をする、請求項８に記載の周波数ダイバシチ受信装置。
【請求項１０】
前記ブランチ制御部は、動作させるブランチを決定する基準としてＣＮ比、受信レベル又はＰＷＭ電力値を使用する、請求項９に記載の周波数ダイバシチ受信装置。
【請求項１１】
前記ブランチ制御部は、両方のフレーム保護状態の各々について誤りか否かを判定し、一方のフレーム保護状態のみが誤りである場合には当該ブランチのみを動作させる決定をし、両方のフレーム保護状態ともに誤りである場合には２ブランチによる合成動作をさせる決定をする、請求項８に記載の周波数ダイバシチ受信装置。
【請求項１２】
前記ブランチ制御部は、フレーム保護状態が誤りか否かを判定する基準としてＣＮ比、受信レベル又はＰＷＭ電力値を使用する、請求項１１に記載の周波数ダイバシチ受信装置。
【請求項１３】
前記ブランチ制御部は、フレーム保護状態が誤りか否かを判定する基準としてＣＮ比、受信レベル及びＰＷＭ電力値の内の複数の値を使用する、請求項１１に記載の周波数ダイバシチ受信装置。
【請求項１４】
前記ブランチ制御部は、ＣＮ比、受信レベル及びＰＷＭ電力値の内の判定に用いられる複数の値の全てがそれぞれに与えられた条件を満足するときに誤ったフレーム保護状態であると判定する、請求項１３に記載の周波数ダイバシチ受信装置。
【請求項１５】
前記ブランチ制御部は、ＣＮ比、受信レベル又はＰＷＭ電力値の内の判定に用いられる複数の値のいずれか一つがそれに与えられた条件を満足するときに誤ったフレーム保護状態であると判定する、請求項１３に記載の周波数ダイバシチ受信装置。
【請求項１６】
前記ブランチ制御部は、両方のフレーム保護状態の各々について誤りか否かを判定した結果、両方のフレーム保護状態ともに誤りでない場合には、いずれか一方のブランチのみを動作させる決定をする、請求項１１に記載の周波数ダイバシチ受信装置。
【請求項１７】
前記ブランチ制御部は、動作させるブランチを決定する基準としてＣＮ比、受信レベル又はＰＷＭ電力値を使用する、請求項１６に記載の周波数ダイバシチ受信装置。
【発明の詳細な説明】
【技術分野】
【０００１】
本発明は、ディジタル放送受信機における周波数ダイバシチ受信装置に関する。
【背景技術】
【０００２】
地上波ディジタルＴＶ（テレビジョン）放送をはじめとするディジタル放送の受信機において、周波数ダイバシチ受信技術が用いられている。ダイバシチ受信は、２種以上の受信信号の中から選択又は組合せを行うことによりフェージングの影響の少ない等、良好な受信信号を得る受信方法であり、特に、周波数ダイバシチ受信は、異なる複数の搬送波で送信された同一信号を受信して選択又は合成をすることにより特性改善を図る受信方法である（例えば、下記特許文献１参照）。
【０００３】
また、地上ディジタル放送の変調方式としては、最も新しい技術の一つであるＯＦＤＭ（Orthogonal Frequency Division Multiplexing、直交周波数分割多重）が採用されている。その受信においては、シンボルの先頭を求めるために、同期部において引き込みが行われ、ＦＦＴ（高速フーリエ変換）ウィンドウ位置が求められる。ＦＦＴによってＴＭＣＣ（Transmission and Multiplexing Configuration Control）信号がデコードされ、ＴＭＣＣフレーム同期ビットによってフレームの先頭が求められる。ここで、ＴＭＣＣ信号とは、復調に必要な各種の情報を含む伝送制御信号であり、特に信頼性が要求されるものである。
【０００４】
フレーム同期確立後、ＴＭＣＣフレーム同期ビットが異なった場合でも、すぐに再同期は行われず、数フレームは保護される（フレーム保護状態）。そうすることで、瞬断やノイズなどによって同期ビットにエラーが起こった場合に、再同期することなく迅速に復帰することが可能となる。ただし、実際に同期が外れているにも拘わらず保護がかかっている場合には、保護中のフレームについて同期外れのブランチを合成してしまうこととなるが、従来の周波数ダイバシチ受信装置は、フレーム保護には依存せず、常に電力（伝送路応答）によって重み付け合成を行っている。
【０００５】
フレーム保護状態になったブランチにおいてはノイズに強いＴＭＣＣ信号さえも受信されていないため、データキャリアにおいても誤りが多数発生していると推測される。ただし、通常は伝送路応答によって重み付けを行うため、誤ったデータは重み付け値が小さく合成され受信性能の劣化は少ないと考えられる。ところが、実際には、ＡＧＣ（Automatic Gain Control、自動利得制御）によって入力レベルが持ち上げられると同時にノイズレベルも持ち上げられ、誤ったデータに対する伝送路応答の値も大きくなり、誤ったデータを大きな重み付け値で合成してしまい、受信性能が大幅に劣化する。
【０００６】
【特許文献１】特許第２９７１８１７号公報
【発明の開示】
【発明が解決しようとする課題】
【０００７】
本発明は、上述した問題点に鑑みてなされたものであり、その目的は、複数ブランチ、例えば２ブランチで合成動作している状態で一方のブランチのみ受信状態が悪化してフレーム保護状態になった場合や２ブランチ共に受信状態が悪化してフレーム保護状態になった場合にフレーム保護状態になったブランチを合成対象から外すことにより受信性能の劣化の防止を図ったディジタル放送受信機用周波数ダイバシチ受信装置を提供することにある。また、本発明の更なる目的は、瞬間的なノイズによってフレーム保護になった場合にはデータキャリアは正常なデータである可能性が高いためその場合には誤ったフレーム保護状態と判断しそのブランチを合成対象とし２（複数）ブランチを無駄なく合成することにより受信性能の向上を図ったディジタル放送受信機用周波数ダイバシチ受信装置を提供することにある。
【課題を解決するための手段】
【０００８】
上記目的を達成するために、本発明によれば、ディジタル放送受信機における周波数ダイバシチ受信装置であって、各ブランチによる受信データの合成を行う合成部と、一方のブランチがフレーム保護状態とされた場合に、該フレーム保護状態に基づいて、前記合成部において合成対象とされるべきブランチを決定する制御を行うブランチ制御部と、を具備することを特徴とする周波数ダイバシチ受信装置が提供される。
【０００９】
本発明の一つの面によれば、前記ブランチ制御部は、フレーム保護状態にあるブランチを合成対象から外す決定をする。
【００１０】
本発明の他の面によれば、前記ブランチ制御部は、フレーム保護状態が誤りか否かを判定し、誤ったフレーム保護状態である場合には、当該ブランチを合成対象とする決定をする。
【００１１】
例えば、前記ブランチ制御部は、フレーム保護状態が誤りか否かを判定する基準としてＣＮ比、受信レベル又はＰＷＭ電力値を使用する。
【００１２】
また、前記ブランチ制御部は、フレーム保護状態が誤りか否かを判定する基準としてＣＮ比、受信レベル及びＰＷＭ電力値の内の複数の値を使用する。
【００１３】
例えば、前記ブランチ制御部は、ＣＮ比、受信レベル及びＰＷＭ電力値の内の判定に用いられる複数の値の全てがそれぞれに与えられた条件を満足するときに誤ったフレーム保護状態であると判定する。
【００１４】
あるいは、前記ブランチ制御部は、ＣＮ比、受信レベル又はＰＷＭ電力値の内の判定に用いられる複数の値のいずれか一つがそれに与えられた条件を満足するときに誤ったフレーム保護状態であると判定する。
【００１５】
また、本発明の他の面によれば、前記ブランチ制御部は、両方のブランチがフレーム保護状態とされた場合に、該フレーム保護状態に基づいて、前記合成部において合成対象とされるべきブランチを決定する制御をも行う。
【００１６】
例えば、前記ブランチ制御部は、両方のブランチがフレーム保護状態とされた場合に、いずれか一方のブランチのみを動作させる決定をする。
【００１７】
ここで、前記ブランチ制御部は、動作させるブランチを決定する基準としてＣＮ比、受信レベル又はＰＷＭ電力値を使用する。
【００１８】
また、本発明の一つの面によれば、前記ブランチ制御部は、両方のフレーム保護状態の各々について誤りか否かを判定し、一方のフレーム保護状態のみが誤りである場合には当該ブランチのみを動作させる決定をし、両方のフレーム保護状態ともに誤りである場合には２ブランチによる合成動作をさせる決定をする。
【００１９】
前記ブランチ制御部は、フレーム保護状態が誤りか否かを判定する基準としてＣＮ比、受信レベル又はＰＷＭ電力値を使用する。
【００２０】
ここで、前記ブランチ制御部は、フレーム保護状態が誤りか否かを判定する基準としてＣＮ比、受信レベル及びＰＷＭ電力値の内の複数の値を使用する。
【００２１】
例えば、前記ブランチ制御部は、ＣＮ比、受信レベル及びＰＷＭ電力値の内の判定に用いられる複数の値の全てがそれぞれに与えられた条件を満足するときに誤ったフレーム保護状態であると判定する。
【００２２】
あるいは、前記ブランチ制御部は、ＣＮ比、受信レベル又はＰＷＭ電力値の内の判定に用いられる複数の値のいずれか一つがそれに与えられた条件を満足するときに誤ったフレーム保護状態であると判定する。
【００２３】
また、本発明の一つの面によれば、前記ブランチ制御部は、両方のフレーム保護状態の各々について誤りか否かを判定した結果、両方のフレーム保護状態ともに誤りでない場合には、いずれか一方のブランチのみを動作させる決定をする。
【００２４】
ここで、前記ブランチ制御部は、動作させるブランチを決定する基準としてＣＮ比、受信レベル又はＰＷＭ電力値を使用する。
【発明の効果】
【００２５】
本発明によるディジタル放送受信機用周波数ダイバシチ受信装置においては、複数ブランチ、例えば２ブランチで合成動作している状態から障害物やフェージングによって一方のブランチのみ受信状態が悪化してフレーム保護となった場合においても、他方のブランチの受信性能に悪影響を及ぼすことなく受信性能の悪化を防ぐことができる。
【００２６】
また、本発明によるディジタル放送受信機用周波数ダイバシチ受信装置においては、複数ブランチ、例えば２ブランチで合成動作している状態から障害物やフェージングによって両ブランチともに受信状態が悪化してフレーム保護となった場合においても、受信状態の良好なブランチを任意に選択することで受信性能を向上させることができる。
【００２７】
また、ノイズなどによって瞬間的にフレーム保護となった場合においても、ブランチを無駄なく合成し、ダイバシチによる合成を最適に行うことができ、受信性能が向上する。
【発明を実施するための最良の形態】
【００２８】
以下、添付図面を参照して本発明の実施形態について説明する。
【００２９】
図１は、本発明の一実施形態としてのディジタルＴＶ放送受信機用周波数ダイバシチ受信装置の構成を示すブロック図である。同図に示されるように、第一のアンテナ１０には、第一のチューナ１２を介して、ＯＦＤＭ復調を行う第一のブランチ受信部２０が接続されている。なお、ＯＦＤＭは、移動体向けディジタル放送に適した変調方式である直交周波数分割多重方式である。
【００３０】
この第一のブランチ受信部２０には、フレーム保護発生部２２、ＣＮ比（carrier to noise ratio, 搬送波対雑音比）計測部２４、受信レベル検出部２６及びＰＷＭ電力計測部２８が設けられている。なお、フレーム保護発生部２２は、フレーム保護状態（フレーム同期確立後、ＴＭＣＣフレーム同期ビットが異なった場合において、再同期を行うことなく、その後の数フレームが保護されている状態）を発生させ、その状態にあることを示すフレーム保護信号を発生させるものである。また、ＰＷＭ（Pulse Width Modulation、パルス幅変調）電力計測部２８は、自動利得制御における制御量すなわちＡＧＣ（Automatic Gain Control）制御量を計測するものである。
【００３１】
同様に、第二のアンテナ３０、第二のチューナ３２及び第二のブランチ受信部４０が設けられ、第二のブランチ受信部４０には、フレーム保護発生部４２、ＣＮ比計測部４４、受信レベル検出部４６及びＰＷＭ電力計測部４８が設けられている。
【００３２】
第一のブランチ受信部２０及び第二のブランチ受信部４０の後段には、周波数分割ダイバシチ部５０が接続されている。この周波数分割ダイバシチ部５０には、第一のブランチ受信部２０からの受信信号に基づいてパワーを算出する第一のパワー算出部５２と、受信信号及び算出されたパワーを格納する第一のタイミングバッファ５４とが設けられている。また、第二のブランチに対しても、第二のパワー算出部５６と第二のタイミングバッファ５８とが設けられている。
【００３３】
また、周波数分割ダイバシチ部５０には、第一のタイミングバッファ５４と第二のタイミングバッファ５８とから同期してシンボルデータを出力させるように制御するバッファコントロール部６０が設けられている。同期して出力された第一のタイミングバッファ５４からのデータと第二のタイミングバッファ５８からのデータとは、最大比合成部６２において、それらのパワー最大値の比に基づいて合成される。最大比合成部６２の出力は、図示しない誤り訂正部に導かれる。なお、第一、第二のブランチだけでなく、同様の構成の第三、第四、…のブランチを設ける構成も可能である。
【００３４】
バッファコントロール部６０を制御するために、その前段にブランチ制御部７０が設けられている。ブランチ制御部７０の構成が図２に示される。同図に示されるように、ブランチ制御部７０は、マスター判定部７２、スレーブ合成可否判定部７４及び動作ブランチ数制御部７６から構成される。マスター判定部７２は、第一のブランチ受信部２０及び第二のブランチ受信部４０の各々からフレーム保護信号、ＣＮ比計測値信号、受信レベル信号及びＰＷＭ電力値信号を受信し、いずれかのブランチをマスターブランチとして選択する。スレーブ合成可否判定部７４は、マスター判定部７２を介して、スレーブブランチからのフレーム保護信号、ＣＮ比計測値信号、受信レベル信号及びＰＷＭ電力値信号を受信し、スレーブブランチによる受信データをマスターブランチによる受信データと合成すべきか否かの判断をして、スレーブ合成可否判定信号を動作ブランチ数制御部７６に対して出力する。動作ブランチ数制御部７６は、このスレーブ合成可否判定信号とマスター判定部７２からのマスター判定信号とに基づいて、動作ブランチ数を制御するためのブランチ合成ステータス信号をバッファコントロール部６０に対し出力する。
【００３５】
ブランチ制御部７０は、１ブランチのみフレーム保護になったときの制御を最適に行うことで受信性能の劣化を防ぐ制御を行う。マスター判定部７２は、マスターブランチを任意のブランチから選択するが、一実施形態においては、フレーム保護になったブランチはマスターブランチにはしないで他方のブランチをマスターブランチにする。その後、スレーブ合成可否判定部７４は、スレーブブランチをマスターブランチと合成するかどうかを判断するが、スレーブがフレーム保護である場合には合成対象から外しマスターのみによる１ブランチ動作を行わせる。これによって、ノイズの混入が防止され、受信性能の劣化が回避される。
【００３６】
前述の制御では、マスター判定部７２及びスレーブ合成可否判定部７４は、フレーム保護状態にあるブランチをマスターブランチにせず、他方のブランチをマスターブランチにして１ブランチ動作を行わせているが、ノイズなどによって誤ってフレーム保護状態になっている可能性もあり得る。もし誤ったフレーム保護である場合には、データキャリアについてはノイズの少ないデータが受信されている可能性がある。そのため、マスター判定部７２は、誤ったフレーム保護であるかを検出し、誤ったフレーム保護である場合にはそのブランチもマスターブランチになり得るようにし、２ブランチを無駄なく合成させ受信性能の劣化を防ぐ。
【００３７】
例えば、マスター判定部７２は、フレーム保護を誤りとしてそのブランチをマスターブランチになり得るようにする判断の基準としてＣＮ比計測値信号を使用する。具体的な動作として、マスター判定部７２は、動作スタート後、マスターブランチを選択する場合に本来はフレーム保護中のブランチはマスターにしないが、ＣＮ比計測値がある値よりも大きい場合、フレーム保護中であるブランチもフレーム保護中でないブランチと同様にマスターブランチの選択対象とすることにより、通常通りの２ブランチ動作を可能にする。
【００３８】
あるいは、マスター判定部７２は、フレーム保護を誤りとしてそのブランチをマスターブランチになり得るようにする判断の基準として受信レベル信号を使用する。具体的な動作として、マスター判定部７２は、動作スタート後、マスターブランチを選択する場合に本来はフレーム保護中のブランチはマスターにしないが、受信レベルがある値よりも大きい場合、フレーム保護中であるブランチもフレーム保護中でないブランチと同様にマスターブランチの選択対象とすることにより、通常通りの２ブランチ動作を可能にする。
【００３９】
あるいは、マスター判定部７２は、フレーム保護を誤りとしてそのブランチをマスターブランチになり得るようにする判断の基準としてＰＷＭ電力値信号を使用する。具体的な動作として、マスター判定部７２は、動作スタート後、マスターブランチを選択する場合に本来はフレーム保護中のブランチはマスターにしないが、ＰＷＭ電力値（ＡＧＣ制御量）がある値よりも小さい場合、フレーム保護中であるブランチもフレーム保護中でないブランチと同様にマスターブランチの選択対象とすることにより、通常通りの２ブランチ動作を可能にする。
【００４０】
また、マスター判定部７２は、フレーム保護を誤りとしてそのブランチをマスターブランチになり得るようにする判断の基準としてＣＮ比計測値信号、受信レベル信号及びＰＷＭ電力値信号の全てを使用することもできる。ＣＮ比計測値、受信レベル及びＰＷＭ電力値の全てを使用することで、誤ったフレーム保護の検出を正常に行うことができ、受信性能の劣化を防ぐことができる。
【００４１】
例えば、マスター判定部７２は、ＣＮ比計測値、受信レベル及びＰＷＭ電力値の全てを用いて誤ったフレーム保護の検出を行うために、判断基準として以下の３条件の全てが満たされたときに誤ったフレーム保護と判断する。
・ＣＮ比計測値がある値よりも大きい。
・受信信号レベル値がある値よりも大きい。
・ＰＷＭ電力値がある値よりも小さい。
具体的な動作として、マスター判定部７２は、動作スタート後、マスターブランチを選択する場合に本来はフレーム保護中のブランチはマスターにしないが、上記の３条件が全て満たされる場合、フレーム保護中であるブランチもフレーム保護中でないブランチと同様にマスターブランチの選択対象とすることで、通常通りの２ブランチ動作を可能にする。
【００４２】
あるいは、マスター判定部７２は、ＣＮ比計測値、受信レベル及びＰＷＭ電力値の全てを用いて誤ったフレーム保護の検出を行うために、判断基準として以下の３条件のうちどれか１つでも満たされたときに誤ったフレーム保護と判断する。
・ＣＮ比計測値がある値よりも大きい。
・受信信号レベル値がある値よりも大きい。
・ＰＷＭ電力値がある値よりも小さい。
具体的な動作として、マスター判定部７２は、動作スタート後、マスターブランチを選択する場合に本来はフレーム保護中のブランチはマスターにしないが、上記の３条件のうちどれか１つでも満たされる場合、フレーム保護中であるブランチもフレーム保護中でないブランチと同様にマスターブランチの選択対象とすることで、通常通りの２ブランチ動作を可能にする。
【００４３】
また、マスター判定部７２は、フレーム保護を誤りとしてそのブランチをマスターブランチになり得るようにする判断の基準としてＣＮ比計測値信号及び受信レベル信号を使用することもできる。ＣＮ比計測値及び受信レベルを用いることで、誤ったフレーム保護の検出を正常に行うことができ、受信性能の劣化を防ぐことができる。また、判断条件が少ないため、制御が容易となる。
【００４４】
例えば、マスター判定部７２は、ＣＮ比計測値及び受信レベルを用いて誤ったフレーム保護の検出を行うために、判断基準として以下の２条件の全てが満たされたときに、誤ったフレーム保護と判断する。
・ＣＮ比計測値がある値よりも大きい。
・受信信号レベル値がある値よりも大きい。
具体的な動作として、マスター判定部７２は、動作スタート後、マスターブランチを選択する場合に本来はフレーム保護中のブランチはマスターにしないが、上記の２条件の全てが満たされる場合、フレーム保護中であるブランチもフレーム保護中でないブランチと同様にマスターブランチの選択対象とすることで、通常通りの２ブランチ動作を可能にする。
【００４５】
あるいは、マスター判定部７２は、ＣＮ比計測値及び受信レベルの全てを用いて誤ったフレーム保護の検出を行うために、判断基準として以下の２条件のうちどちらか１つでも満たされたときに誤ったフレーム保護と判断する。
・ＣＮ比計測値がある値よりも大きい。
・受信信号レベル値がある値よりも大きい。
具体的な動作として、マスター判定部７２は、動作スタート後、マスターブランチを選択する場合に本来はフレーム保護中のブランチはマスターにしないが、上記の２条件のうちどちらか１つでも満たされる場合、フレーム保護中であるブランチもフレーム保護中でないブランチと同様にマスターブランチの選択対象とすることで、通常通りの２ブランチ動作を可能にする。
【００４６】
また、マスター判定部７２は、フレーム保護を誤りとしてそのブランチをマスターブランチになり得るようにする判断の基準としてＣＮ比計測値信号及びＰＷＭ電力値を使用することができる。ＣＮ比計測値及びＰＷＭ電力値を用いることで、誤ったフレーム保護の検出を正常に行うことができ、受信性能の劣化を防ぐことができる。また、判断条件が少ないため、制御が容易となる。
【００４７】
例えば、マスター判定部７２は、ＣＮ比計測値及びＰＷＭ電力値を用いて誤ったフレーム保護の検出を行うために、判断基準として以下の２条件の全てが満たされたときに誤ったフレーム保護と判断する。
・ＣＮ比計測値がある値よりも大きい。
・ＰＷＭ電力値がある値よりも小さい。
具体的な動作として、マスター判定部７２は、動作スタート後、マスターブランチを選択する場合に本来はフレーム保護中のブランチはマスターにしないが、上記の２条件が全て満たされる場合、フレーム保護中であるブランチもフレーム保護中でないブランチと同様にマスターブランチの選択対象とすることで、通常通りの２ブランチ動作を可能にする。
【００４８】
あるいは、マスター判定部７２は、ＣＮ比計測値及びＰＷＭ電力値の全てを用いて誤ったフレーム保護の検出を行うために、判断基準として以下の２条件のうちどちらか１つでも満たされたときに誤ったフレーム保護と判断する。
・ＣＮ比計測値がある値よりも大きい。
・ＰＷＭ電力値がある値よりも小さい。
具体的な動作として、マスター判定部７２は、動作スタート後、マスターブランチを選択する場合に本来はフレーム保護中のブランチはマスターにしないが、上記の２条件のうちどちらか１つでも満たされる場合、フレーム保護中であるブランチもフレーム保護中でないブランチと同様にマスターブランチの選択対象とすることで、通常通りの２ブランチ動作を可能にする。
【００４９】
また、マスター判定部７２は、フレーム保護を誤りとしてそのブランチをマスターブランチになり得るようにする判断の基準として受信レベル信号及びＰＷＭ電力値信号を使用することができる。受信レベル及びＰＷＭ電力値を用いることで、誤ったフレーム保護の検出を正常に行うことができ、受信性能の劣化を防ぐことができる。また、判断条件が少ないため、制御が容易となる。
【００５０】
例えば、マスター判定部７２は、受信レベル及びＰＷＭ電力値を用いて誤ったフレーム保護の検出を行うために、判断基準として以下の２条件の全てが満たされたときに誤ったフレーム保護と判断する。
・受信信号レベルがある値よりも大きい。
・ＰＷＭ電力値がある値よりも小さい。
具体的な動作として、マスター判定部７２は、動作スタート後、マスターブランチを選択する場合に本来はフレーム保護中のブランチはマスターにしないが、上記の２条件全てが満たされる場合、フレーム保護中であるブランチもフレーム保護中でないブランチと同様にマスターブランチの選択対象とすることで、通常通りの２ブランチ動作を可能にする。
【００５１】
あるいは、マスター判定部７２は、受信レベル及びＰＷＭ電力値を用いて誤ったフレーム保護の検出を行うために、判断基準として以下の２条件のうちどちらか１つでも満たされたときに誤ったフレーム保護と判断する。
・受信信号レベルがある値よりも大きい。
・ＰＷＭ電力値がある値よりも小さい。
具体的な動作として、マスター判定部７２は、動作スタート後、マスターブランチを選択する場合に本来はフレーム保護中のブランチはマスターにしないが、上記の２条件のうちどちらか１つでも満たされる場合、フレーム保護中であるブランチもフレーム保護中でないブランチと同様にマスターブランチの選択対象とすることで、通常通りの２ブランチ動作を可能にする。
【００５２】
ところで、ブランチ制御部７０は、さらに、２ブランチ共にフレーム保護になったときの制御を最適に行うことで受信性能の劣化を防ぐ制御をも行う。一実施形態においては、マスター判定部７２は、両ブランチともフレーム保護状態にあり両ブランチともノイズを含んでいる場合、ブランチを１つ選択してマスターブランチとする一方、他方のブランチは合成対象とせずに、１ブランチのみで動作させることで、ノイズの混入を防ぎ受信性能の劣化を防ぐ。
【００５３】
例えば、マスター判定部７２は、フレーム保護になっている両ブランチの中から一方をマスターブランチとして選択する判断の基準としてＣＮ比計測値信号を使用する。具体的な動作として、マスター判定部７２は、動作スタート後、マスターブランチを選択する場合に両ブランチ共にフレーム保護中であるとき、ＣＮ比計測値の大きい方のブランチをマスターブランチとする一方、他方のブランチは合成対象外とし、受信性能の良好なブランチによる１ブランチのみでの動作を行わせる。
【００５４】
あるいは、マスター判定部７２は、フレーム保護になっている両ブランチの中から一方をマスターブランチとして選択する判断の基準として受信レベル信号を使用する。具体的な動作として、マスター判定部７２は、動作スタート後、マスターブランチを選択する場合に両ブランチ共にフレーム保護中であるとき、受信レベルの大きい方のブランチをマスターブランチとする一方、他方のブランチは合成対象外とし、受信性能の良好なブランチによる１ブランチのみでの動作を行わせる。
【００５５】
あるいは、マスター判定部７２は、フレーム保護になっている両ブランチの中から一方をマスターブランチとして選択する判断の基準としてＰＷＭ電力値信号を使用する。具体的な動作として、マスター判定部７２は、動作スタート後、マスターブランチを選択する場合に両ブランチ共にフレーム保護中であるとき、ＰＷＭ電力値の小さい方のブランチをマスターブランチとする一方、他方のブランチは合成対象外とし、受信性能の良好なブランチによる１ブランチのみでの動作を行わせる。
【００５６】
ところで、両ブランチともフレーム保護状態になった場合でも、ノイズなどによって誤ってフレーム保護状態になっている可能性もあり得る。もし誤ったフレーム保護である場合には、データキャリアについてはノイズの少ないデータが受信されている可能性がある。そのため、マスター判定部７２は、各ブランチが誤ったフレーム保護状態にあるかを検出し受信性能の向上を図る制御をも行う。
【００５７】
例えば、マスター判定部７２は、両ブランチともフレーム保護状態にあるときに各ブランチのフレーム保護状態が誤りか否かを判断する基準としてＣＮ比計測値信号を使用する。具体的な動作として、マスター判定部７２は、動作スタート後、マスターブランチを選択するが、両ブランチともにフレーム保護中であるが一方のブランチのＣＮ比計測値がある値以上である場合、そのブランチについては誤ったフレーム保護と判断し、そのブランチでの１ブランチ動作を行わせる。また、マスター判定部７２は、両ブランチともにＣＮ比計測値がある値以上である場合には、２ブランチでの合成動作を行わせる。
【００５８】
あるいは、マスター判定部７２は、両ブランチともフレーム保護状態にあるときに各ブランチのフレーム保護状態が誤りか否かを判断する基準として受信レベル信号を使用する。具体的な動作として、マスター判定部７２は、動作スタート後、マスターブランチを選択するが、両ブランチともにフレーム保護中であるが一方のブランチの受信レベルがある値以上である場合、そのブランチについては誤ったフレーム保護と判断し、そのブランチでの１ブランチ動作を行わせる。また、マスター判定部７２は、両ブランチともに受信レベルがある値以上である場合には、２ブランチでの合成動作を行わせる。
【００５９】
あるいは、マスター判定部７２は、両ブランチともフレーム保護状態にあるときに各ブランチのフレーム保護状態が誤りか否かを判断する基準としてＰＷＭ電力値を使用する。具体的な動作として、マスター判定部７２は、動作スタート後、マスターブランチを選択するが、両ブランチともにフレーム保護中であるが一方のブランチのＰＷＭ電力値がある値以下である場合、そのブランチについては誤ったフレーム保護と判断し、そのブランチでの１ブランチ動作を行わせる。また、マスター判定部７２は、両ブランチともにＰＷＭ電力値がある値以下である場合には、２ブランチでの合成動作を行わせる。
【００６０】
また、マスター判定部７２は、両ブランチともフレーム保護状態にあるときに各ブランチのフレーム保護状態が誤りか否かを判断する基準として、ＣＮ比計測値信号、受信レベル信号及びＰＷＭ電力値の全てを使用することもできる。ＣＮ比計測値、受信レベル及びＰＷＭ電力値の全てを使用することで、誤ったフレーム保護の検出を正常に行うことができ、受信性能の劣化を防ぐことができる。
【００６１】
例えば、マスター判定部７２は、ＣＮ比計測値、受信レベル及びＰＷＭ電力値の全てを用いて誤ったフレーム保護の検出を行うために、判断基準として以下の３条件の全てが満たされたときに誤ったフレーム保護と判断する。
・ＣＮ比計測値がある値よりも大きい。
・受信信号レベル値がある値よりも大きい。
・ＰＷＭ電力値がある値よりも小さい。
具体的な動作として、マスター判定部７２は、動作スタート後、両ブランチともにフレーム保護中であるが一方のブランチが上記３条件の全てを満たしている場合、そのブランチについては誤ったフレーム保護と判断し、そのブランチでの１ブランチ動作を行わせる。また、マスター判定部７２は、両ブランチともに上記３条件を満たした場合には、２ブランチでの合成動作を行わせる。
【００６２】
あるいは、マスター判定部７２は、ＣＮ比計測値、受信レベル及びＰＷＭ電力値の全てを用いて誤ったフレーム保護の検出を行うために、判断基準として以下の３条件のうちどれか１つでも満たされたときに誤ったフレーム保護と判断する。
・ＣＮ比計測値がある値よりも大きい。
・受信信号レベル値がある値よりも大きい。
・ＰＷＭ電力値がある値よりも小さい。
具体的な動作として、マスター判定部７２は、動作スタート後、両ブランチともにフレーム保護中であるが一方のブランチが上記３条件のうちどれか１つでも満たした場合、そのブランチについては誤ったフレーム保護と判断し、そのブランチでの１ブランチ動作を行わせる。また、マスター判定部７２は、両ブランチともに上記３条件のうちどれか１つでも満たした場合には、２ブランチでの合成動作を行わせる。
【００６３】
また、マスター判定部７２は、両ブランチともフレーム保護状態にあるときに各ブランチのフレーム保護状態が誤りか否かを判断する基準として、ＣＮ比計測値信号及び受信レベル信号を使用することができる。ＣＮ比計測値及び受信レベルを用いることで、誤ったフレーム保護の検出を正常に行うことができ、受信性能の劣化を防ぐことができる。
【００６４】
例えば、マスター判定部７２は、ＣＮ比計測値及び受信レベルを用いて誤ったフレーム保護の検出を行うために、判断基準として以下の２条件の全てが満たされたときに誤ったフレーム保護と判断する。
・ＣＮ比計測値がある値よりも大きい。
・受信信号レベル値がある値よりも大きい。
具体的な動作として、マスター判定部７２は、動作スタート後、両ブランチともにフレーム保護中であるが一方のブランチが上記２条件の全てを満たした場合、そのブランチについては誤ったフレーム保護と判断し、そのブランチでの１ブランチ動作を行わせる。また、マスター判定部７２は、両ブランチともに上記２条件の全てを満たした場合には、２ブランチでの合成動作を行わせる。
【００６５】
あるいは、マスター判定部７２は、ＣＮ比計測値及び受信レベルを用いて誤ったフレーム保護の検出を行うために、判断基準として以下の２条件のうちどちらか１つでも満たされたときに誤ったフレーム保護と判断する。
・ＣＮ比計測値がある値よりも大きい。
・受信信号レベル値がある値よりも大きい。
具体的な動作として、マスター判定部７２は、動作スタート後、両ブランチともにフレーム保護中であるが一方のブランチが上記の２条件のうちどれか１つでも満たした場合、そのブランチについては誤ったフレーム保護と判断し、そのブランチでの１ブランチ動作を行わせる。また、マスター判定部７２は、両ブランチともに上記の２条件のうちどれか１つでも満たした場合には、２ブランチでの合成動作を行わせる。
【００６６】
また、マスター判定部７２は、両ブランチともフレーム保護状態にあるときに各ブランチのフレーム保護状態が誤りか否かを判断する基準として、ＣＮ比計測値信号及びＰＷＭ電力値信号を使用することができる。ＣＮ比計測値及びＰＷＭ電力値を用いることで、誤ったフレーム保護の検出を正常に行うことができ、受信性能の劣化を防ぐことができる。
【００６７】
例えば、マスター判定部７２は、ＣＮ比計測値及びＰＷＭ電力値を用いて誤ったフレーム保護の検出を行うために、判断基準として以下の２条件の全てが満たされたときに誤ったフレーム保護と判断する。
・ＣＮ比計測値がある値よりも大きい。
・ＰＷＭ電力値がある値よりも小さい。
具体的な動作として、マスター判定部７２は、動作スタート後、両ブランチともにフレーム保護中であるが一方のブランチが上記２条件の全てを満たした場合、そのブランチについては誤ったフレーム保護と判断し、そのブランチでの１ブランチ動作を行わせる。また、マスター判定部７２は、両ブランチともに上記２条件を満たした場合には、２ブランチでの合成動作を行わせる。
【００６８】
あるいは、マスター判定部７２は、ＣＮ比計測値及びＰＷＭ電力値を用いて誤ったフレーム保護の検出を行うために、判断基準として以下の２条件のうちどちらか１つでも満たされたときに誤ったフレーム保護と判断する。
・ＣＮ比計測値がある値よりも大きい。
・ＰＷＭ電力値がある値よりも小さい。
具体的な動作として、マスター判定部７２は、動作スタート後、両ブランチともにフレーム保護中であるが一方のブランチが上記２条件のうちどれか１つでも満たした場合、そのブランチについては誤ったフレーム保護と判断し、そのブランチでの１ブランチ動作を行わせる。また、マスター判定部７２は、両ブランチともに上記２条件のうちどれか１つでも満たした場合には、２ブランチでの合成動作を行わせる。
【００６９】
また、マスター判定部７２は、両ブランチともフレーム保護状態にあるときに各ブランチのフレーム保護状態が誤りか否かを判断する基準として、受信レベル信号及びＰＷＭ電力値信号を使用することができる。受信レベル及びＰＷＭ電力値を用いることで、誤ったフレーム保護の検出を正常に行うことができ、受信性能の劣化を防ぐことができる。
【００７０】
例えば、マスター判定部７２は、受信レベル及びＰＷＭ電力値を用いて誤ったフレーム保護の検出を行うために、判断基準として以下の２条件の全てが満たされたときに誤ったフレーム保護と判断する。
・受信信号レベルがある値よりも大きい。
・ＰＷＭ電力値がある値よりも小さい。
具体的な動作として、マスター判定部７２は、動作スタート後、両ブランチともにフレーム保護中であるが一方のブランチが上記２条件の全てを満たした場合、そのブランチについては誤ったフレーム保護と判断し、そのブランチでの１ブランチ動作を行わせる。また、マスター判定部７２は、両ブランチともに上記２条件を満たした場合には、２ブランチでの合成動作を行わせる。
【００７１】
あるいは、マスター判定部７２は、受信レベル及びＰＷＭ電力値を用いて誤ったフレーム保護の検出を行うために、判断基準として以下の２条件のうちどちらか１つでも満たされたときに誤ったフレーム保護と判断する。
・受信信号レベルがある値よりも大きい。
・ＰＷＭ電力値がある値よりも小さい。
具体的な動作として、マスター判定部７２は、動作スタート後、両ブランチともにフレーム保護中であるが一方のブランチが上記２条件のうちどれか１つでも満たした場合、そのブランチについては誤ったフレーム保護と判断し、そのブランチでの１ブランチ動作を行わせる。また、マスター判定部７２は、両ブランチともに上記２条件のうちどれか１つでも満たした場合には、２ブランチでの合成動作を行わせる。
【００７２】
ところで、前記ブランチ制御部は、両ブランチともフレーム保護状態になり、両方のフレーム保護状態の各々について誤りか否かを判定した結果、両方のフレーム保護状態ともに誤りでない場合もある。かかる場合には、マスター判定部７２は、いずれか一方のブランチのみを動作させる決定をする。これによって、ノイズの混入を防ぎ、受信性能の劣化を防ぐことができる。
【００７３】
例えば、マスター判定部７２は、両ブランチともフレーム保護になっており、かつ両ブランチ共に誤ったフレーム保護でないと判断された場合、その中からマスターブランチを選択して１ブランチ動作を行わせるために、その１ブランチを選択する判断の基準としてＣＮ比計測値信号を使用する。具体的な動作として、マスター判定部７２は、動作スタート後、マスターブランチを選択する場合に両ブランチ共にフレーム保護中であり、かつ両ブランチとも誤ったフレーム保護ではないと判断されたとき、ＣＮ比の大きい方のブランチをマスターブランチとする一方、他方のブランチは合成対象外とし、受信性能の良好な方のブランチによる１ブランチ動作を行わせる。
【００７４】
あるいは、マスター判定部７２は、両ブランチともフレーム保護になっており、かつ両ブランチ共に誤ったフレーム保護でないと判断された場合、その中からマスターブランチを選択して１ブランチ動作を行わせるために、その１ブランチを選択する判断の基準として受信レベル信号を使用する。具体的な動作として、マスター判定部７２は、動作スタート後、マスターブランチを選択する場合に両ブランチ共にフレーム保護中であり、かつ両ブランチとも誤ったフレーム保護ではないと判断されたとき、受信レベルの大きい方のブランチをマスターブランチとする一方、他方のブランチは合成対象外とし、受信性能の良好な方のブランチによる１ブランチ動作を行わせる。
【００７５】
あるいは、マスター判定部７２は、両ブランチともフレーム保護になっており、かつ両ブランチ共に誤ったフレーム保護でないと判断された場合、その中からマスターブランチを選択して１ブランチ動作を行わせるために、その１ブランチを選択する判断の基準としてＰＷＭ電圧値を使用する。具体的な動作として、マスター判定部７２は、動作スタート後、マスターブランチを選択する場合に両ブランチ共にフレーム保護中であり、かつ両ブランチとも誤ったフレーム保護ではないと判断されたとき、ＰＷＭ電圧値の小さい方のブランチをマスターブランチとする一方、他方のブランチは合成対象外とし、受信性能の良好な方のブランチによる１ブランチ動作を行わせる。
【図面の簡単な説明】
【００７６】
【図１】本発明による周波数ダイバシチ受信装置の一実施形態の構成を示すブロック図である。
【図２】図１におけるブランチ制御部の構成を示すブロック図である。
【符号の説明】
【００７７】
１０…第一のアンテナ１０
１２…第一のチューナ
２０…第一のブランチ受信部
２２…フレーム保護発生部
２４…ＣＮ比計測部
２６…受信レベル検出部
２８…ＰＷＭ電力計測部
３０…第二のアンテナ
３２…第二のチューナ
４０…第二のブランチ受信部
４２…フレーム保護発生部
４４…ＣＮ比計測部
４６…受信レベル検出部
４８…ＰＷＭ電力計測部
５０…周波数分割ダイバシチ部
５２…第一のパワー算出部
５４…第一のタイミングバッファ
５６…第二のパワー算出部
５８…第二のタイミングバッファ
６０…バッファコントロール部
６２…最大比合成部
７０…ブランチ制御部
７２…マスター判定部
７４…スレーブ合成可否判定部
７６…動作ブランチ数制御部
【図１】
2005150935.tif 000003
【図２】
2005150935.tif 000004